(57)【要約】【課題】ディスポーザから送出される破砕ゴミを含む混合水を処理槽に導入して分解処理する生ゴミ処理機において、混合水の導入時における処理槽内部の水位の上昇を制限し、排水の後処理の負荷を増すことなく安定して生ゴミ処理を行わせ得るようにする。【解決手段】処理槽１とディスポーザ２とを連結する搬送管３の中途にバッファ槽４を設け、ディスポーザ２から送り出される破砕ゴミを含む混合水40をバッファ槽４に貯留しておき、このバッファ槽４の内部に配した攪拌ポンプ41の動作により攪拌しつつ、同じくバッファ槽４の内部に配した送出ポンプ42の動作により定量毎に処理槽１へ導入するように構成する。【選択図】図１
2007125469.tif 000002
【特許請求の範囲】
【請求項１】
水と共に投入される生ゴミを破砕するディスポーザと、内部に導入される生ゴミを分解処理する処理槽とを搬送管により連結し、前記ディスポーザから送出される破砕ゴミと水との混合水を前記搬送管を経て前記処理槽へ導入するように構成してある生ゴミ処理機において、
前記搬送管の中途に介装してあり、前記ディスポーザから送出される混合水を前記処理槽への導入前に貯留するバッファ槽と、
該バッファ槽に貯留された混合水を、前記処理槽に定量毎に送り出す送出ポンプと
を備えることを特徴とする生ゴミ処理機。
【請求項２】
前記バッファ槽の容量は、前記処理槽にて所定時間内に分解処理され得る混合水の量に応じて設定してある請求項１記載の生ゴミ処理機。
【請求項３】
前記送出ポンプは、前記バッファ槽の内部に配された水中ポンプである請求項１又は請求項２記載の生ゴミ処理機。
【請求項４】
前記バッファ槽に貯留された混合水を攪拌する攪拌手段を備える請求項１乃至請求項３のいずれか１つに記載の生ゴミ処理機。
【請求項５】
前記攪拌手段は、前記混合水中に吸込口及び吐出口を有して前記バッファ槽の内部に配された水中ポンプである請求項４記載の生ゴミ処理機。
【請求項６】
前記バッファ槽は、前記処理槽の近傍に配してある請求項１乃至請求項５のいずれか１つに記載の生ゴミ処理機。
【発明の詳細な説明】
【技術分野】
【０００１】
本発明は、ディスポーザにより破砕された生ゴミを処理槽に導入し、該処理槽内にて分解処理するように構成された生ゴミ処理機に関する。
【背景技術】
【０００２】
近年、一般家庭、飲食店等の厨房に発生する生ゴミの減量処理を目的とした生ゴミ処理機が種々提案されている。この種の生ゴミ処理機の一つとして、生ゴミを破砕するディスポーザを利用し、該ディスポーザによる破砕ゴミを処理槽に導入するように構成された生ゴミ処理機がある（例えば、特許文献１参照）。
【０００３】
ディスポーザは、内部に投入される生ゴミを破砕刃の回転により破砕し、同時に投入される水と混合して送り出す公知の装置であり、特許文献１に開示された生ゴミ処理機においては、ディスポーザから送り出される破砕ゴミを含む混合水を固水分離し、破砕ゴミを処理槽に導入して分解処理すると共に、分離水を曝気処理して下水に放流するようにしている。
【０００４】
また一方、生ゴミの導入口を上部に備える処理槽の内部に処理水を貯留し、この処理水中に有機物を分解する能力を有する微生物（食品発酵菌、酵母菌等）を生息させてあり、前記投入口から処理槽内に投入される生ゴミを処理水と共に攪拌し、該処理水中の微生物の活動により分解処理するように構成されたウェット式の生ゴミ処理機がある（例えば、特許文献２参照）。
【０００５】
このウェット式の生ゴミ処理機は、処理水を貯留する処理槽中に生ゴミと水とを同時投入することが可能であることから、前述したディスポーザとの組み合わせが有効であり、特許文献２中にも、ディスポーザの送出口と処理槽の導入口とを搬送管により連結し、ディスポーザから送り出される破砕ゴミを含む混合水を、処理槽内に直接的に導入する構成とした生ゴミ処理機が開示されている。
【特許文献１】特開２００４−１０５８８１号公報
【特許文献２】特開２００２−３３６８３０号公報
【発明の開示】
【発明が解決しようとする課題】
【０００６】
このようにディスポーザと組み合わされたウェット式の生ゴミ処理機は、ディスポーザにより粒状に破砕された破砕ゴミを処理対象としており、大なる処理量が得られることから、例えば、学校、会社の食堂、大規模飲食店等、処理要求量が多い場所での使用を想定した業務用の生ゴミ処理機として有用である。
【０００７】
この種の生ゴミ処理機において、処理槽の内部の処理水は、生ゴミの分解処理によって発生する水、また微生物の活性を高めるべく適宜に補給される水、更には生ゴミを前処理するディスポーザから破砕ゴミと共に導入される水によって経時的に増加することから、処理槽の周壁にオーバフロー口を開設し、所定水位を超えた過剰な処理水を排水し、簡単な後処理の後に下水に放流するようにしてある。
【０００８】
ところが、前述した食堂、大規模飲食店での使用においては、営業時間中に発生する生ゴミをまとめておき、例えば、営業時間の終了後にまとめて処理する使用形態が想定される。この場合、ディスポーザにより破砕された破砕ゴミを含む大量の混合水が一時的に処理槽内に導入される結果、処理槽内部の処理水の水位が急上昇し、オーバフロー口からの排水の量が急増する上、この排水中には未処理の生ゴミが多く含まれることから、前述した後処理のための負荷が大きくなるという問題がある。
【０００９】
この問題は、大なる処理能力を有する後処理装置を付設することにより解消されるが、この対策は、装置コストの増加を招くことから好ましい対策ではなく、また処理能力が小さい後処理装置を付設した場合、処理後の排水中の有機物の含有量が多くなり、下水への放流のためのＢＯＤ（生化学的酸素要求量）基準を満たし得なくなる虞れがある。
【００１０】
本発明は斯かる事情に鑑みてなされたものであり、ディスポーザから送出される破砕ゴミを含む混合水を処理槽に搬送する搬送管の中途にバッファ槽を設け、このバッファ槽内に混合水を一旦貯留しておき、定量毎に処理槽に導入することにより、処理槽の内部に一時的に多くの破砕ゴミが導入される虞れを緩和し、後処理の負荷を増すことなく安定して生ゴミ処理を行わせ得る生ゴミ処理機を提供することを目的とする。
【００１１】
またバッファ槽の容量及び配置の適正化により上記の目的を確実に達成し得る生ゴミ処理機を提供し、更に、バッファ槽からの送出のための水中ポンプの使用、バッファ槽内部の混合水の攪拌手段の設置、及びこの攪拌手段としての水中ポンプの使用により簡素な構成にて上記の目的を達成し得る生ゴミ処理機を提供することを目的とする。
【課題を解決するための手段】
【００１２】
本発明に係る生ゴミ処理機は、水と共に投入される生ゴミを破砕するディスポーザと、内部に導入される生ゴミを分解処理する処理槽とを搬送管により連結し、前記ディスポーザから送出される破砕ゴミと水との混合水を前記搬送管を経て前記処理槽へ導入するように構成してある生ゴミ処理機において、前記搬送管の中途に介装してあり、前記ディスポーザから送出される混合水を前記処理槽への導入前に貯留するバッファ槽と、該バッファ槽に貯留された混合水を、前記処理槽に定量毎に送り出す送出ポンプとを備えることを特徴とする。
【００１３】
本発明においては、ディスポーザから送出される破砕ゴミを含む混合水を搬送管の中途に配したバッファ槽に一旦貯留し、このバッファ槽から定量毎に送り出して処理槽に導入して、混合水の導入時における処理槽内部の水位の上昇を制限し、排水の後処理の負荷を軽減して安定した生ゴミ処理を行わせる。
【００１４】
また本発明に係る生ゴミ処理機は、前記バッファ槽の容量が、前記処理槽にて所定時間内に分解処理され得る混合水の量に応じて設定してあることを特徴とする。
【００１５】
この発明においては、バッファ槽の容量を、例えば、処理槽内にて１日間で分解処理可能な量の破砕ゴミを含む混合水を貯留し得るように設定し、バッファ槽内の混合水を複数回に分けて定量毎に処理槽に供給して、処理槽内部の水位の上昇を制限し、排水の後処理の負荷を軽減して安定した生ゴミ処理を行わせる。
【００１６】
また本発明に係る生ゴミ処理機は、前記送出ポンプが、前記バッファ槽の内部に配された水中ポンプであることを特徴とする。
【００１７】
この発明においては、バッファ槽から処理槽へ混合水を送り出す送出ポンプとして、バッファ槽内に設置するのみで目的を達成し得る水中ポンプを用いる。
【００１８】
また本発明に係る生ゴミ処理機は、前記バッファ槽に貯留された混合水を攪拌する攪拌手段を備えることを特徴とし、更に、前記攪拌手段が、前記混合水中に吸込口及び吐出口を有して前記バッファ槽の内部に配された水中ポンプであることを特徴とする。
【００１９】
この発明においては、バッファ槽に貯留された混合水を攪拌手段の動作により攪拌し、破砕ゴミを均等に含んだ混合水を処理槽に供給する。また攪拌手段として、バッファ槽内に設置した水中ポンプを用い、混合水中に水流を発生して攪拌を行わせる構成とする。攪拌手段による混合水の攪拌は、送出ポンプの動作による処理槽への定量毎の送り出しの前後に行わせればよい。
【００２０】
また本発明に係る生ゴミ処理機は、前記バッファ槽が、前記処理槽の近傍に配してあることを特徴とする。
【００２１】
この発明においては、バッファ槽を処理槽の近傍に配し、混合水の送り出しのための送出ポンプの負荷を軽減して装置構成の簡素化を図る。
【発明の効果】
【００２２】
本発明に係る生ゴミ処理機においては、ディスポーザから処理槽への搬送管の中途にバッファ槽を配し、ディスポーザが送出する破砕ゴミを含む混合水をバッファ槽内に一旦貯留しておき、定量毎に処理槽に導入するようにしてあるから、混合水の導入時における処理槽内部の処理水の水位上昇を抑制することができ、この導入時に大量の排水が排出されることがなく、後処理の負荷を軽減して安定した生ゴミ処理を行わせることができる。
【００２３】
また本発明に係る生ゴミ処理機においては、処理槽での分解処理能力に応じた容量を有するバッファ槽を設けたから、ディスポーザに一括投入された生ゴミの破砕により発生する混合水の全量をバッファ槽に貯留しておき、この混合水を適宜量毎に処理槽に導入することにより、処理槽内部の水位の上昇を制限して後処理のための負荷を軽減しつつ、導入分を確実に分解処理させることが可能となる。
【００２４】
また本発明に係る生ゴミ処理機においては、バッファ槽から処理槽へ混合水を送り出す送出ポンプとして水中ポンプ用いたから、バッファ槽の内部に単純に設置する簡素な構成により確実な送り出しを行わせることができる。
【００２５】
また本発明に係る生ゴミ処理機においては、バッファ槽内に攪拌手段を設け、内部に貯留された混合水を攪拌するようにしたから、送出ポンプの動作により定量毎に処理槽へ送り込まれる混合水中の破砕ゴミの量が均等化され、処理槽内部での分解処理を安定して行わせることができる。更にバッファ槽内に配した水中ポンプにより水流を発生して混合水を攪拌する構成としたから、バッファ槽の内部に水中ポンプを設置するだけの簡素な構成により混合水を攪拌することができる上、送出ポンプとの兼用による更なる構成の簡素化も可能となる。
【００２６】
また本発明に係る生ゴミ処理機においては、バッファ槽を処理槽の近傍に配したから、バッファ槽に貯留された混合水を定量毎に送り出す送出ポンプを、送出のための配管系を含めて小型化することが可能となり、装置構成の更なる簡素化を図ることができる等、本発明は優れた効果を奏する。
【発明を実施するための最良の形態】
【００２７】
以下本発明をその実施の形態を示す図面に基づいて詳述する。図１は、本発明に係る生ゴミ処理機の全体構成を示す模式図である。図示の如く発明に係る生ゴミ処理機は、処理槽１及びディスポーザ２と、これらを連結する搬送管３とを備え、更に、連結管３の中途に介装されたバッファ槽４とを備えている。
【００２８】
処理槽１は、上部が縮径されたポット形の中空容器である。処理槽１の内部には、食品発酵菌、酵母菌等、有機物を分解する能力を有する微生物を含む処理水10が所定の深さを有して貯留されており、この処理槽１の周壁には、一側にオーバフロー口11が開設され、また他側に導入管12が連結されている。オーバフロー口11の外側には、排水室13が設けられ、該排水室13には、図示しない下水への放流のための排水管14が連結されている。
【００２９】
処理槽１内部の底板上には、水中ポンプを用いてなる２基の攪拌ポンプ15，15が設置されている。これらの攪拌ポンプ15，15は、下面に開口する吸込口と、上方に延びる吐出管とを備えており、処理槽１の内部の処理水10を吸込口から吸込み、夫々の吐出管の上端から吐き出すことにより、前記処理水10を攪拌する動作をなす。
【００３０】
処理槽１の天板上には、補給水タンク５、バイオタンク６及びエアポンプ７が搭載されている。補給水タンク５の上部は、公知のボールタップ50を介して図示しない水道管に接続されており、補給水タンク５の内部には、水道管から供給される補給水51が前記ボールタップ50の動作により略一定の水位を保って貯留されている。また補給水タンク５の下部は、中途に電動弁53を備える給水管54を介して処理槽１の内部に連結されており、補給水タンク５の内部の補給水51は、例えば、定期的に実行される電動弁53の開放に応じて給水管54を経て処理槽１の内部に補給されるようになしてある。
【００３１】
更に補給水タンク５には、シャワリングポンプ55及び電動弁56を中途に備えるシャワー管57が接続されている。シャワー管57は、処理槽１の外側に設けられた排水室13の内部に延長され、この延長端にオーバフロー口11に対向するシャワーヘッドを備えている。この構成により、シャワリングポンプ55が駆動され、電動弁56が開放された場合、補給水タンク５の内部の補給水51がシャワー管57の内部を圧送されて先端から噴射され、オーバフロー口11を覆うフィルタが洗浄される。この洗浄は、処理槽１内への補給水51の補給と同様に定期的に実施される。
【００３２】
バイオタンク６は、バイオポンプ60を中途に備える供給管61により処理槽１の内部に連結されている。このバイオタンク６の内部には、食品発酵菌、酵母菌等、有機物を分解する能力を有する微生物を多数含有するバイオ液が貯留されており、このバイオ液は、例えば、定期的に駆動されるバイオポンプ60の動作により供給管61を経て処理槽１内に導入される。
【００３３】
エアポンプ７は、外気を吸気して処理槽１内に延設された送気管70中に送り出す動作をなす。送気管70の先端は、処理槽１の底面に沿わせてあり、エアポンプ７の動作により吸気される外気は、送気管70の先端に設けた多数の小孔を経て処理水10内に放出される。
【００３４】
以上の如く構成された処理槽１は、予め所定水位の処理水10を内部に貯留しておき、バイオタンク６から定量のバイオ液を導入した後、攪拌ポンプ15，15を駆動して処理水10を所定時間攪拌し、バイオ液中の微生物を処理水10中に分散せしめて運転準備が完了する。その後、処理槽１中に導入管12を経て後述の如く導入される生ゴミは、攪拌ポンプ15，15の動作により処理水10と共に周期的に攪拌され、該処理水10中の微生物の活動により、水と炭酸ガスとに分解されて消失する。
【００３５】
このような処理運転中には、処理水10中の微生物の活性を高め、分解処理能力を高く保つことを目的として、補給水タンク５からの補給水51の補給及びエアポンプ７の動作による給気が定期的に実施される。また、排水と共に失われる微生物を処理水10中に補給することを目的として、バイオタンク６からのバイオ液の導入も周期的に実施される。この導入は、例えば、数時間毎程度の長周期にて行わせれば十分である。
【００３６】
また以上の処理運転中、処理槽１内部の処理水10の水位は、導入管12を経て生ゴミと共に導入される水、補給水タンク５から補給される補給水51、及び生ゴミの分解により発生する水の影響により上昇するが、この上昇分は、前述の如く、オーバフロー口11を経て排水室13に排出され、排水管14を経て下水に放流される。
【００３７】
ディスポーザ２は、ディスポーザ本体20と、これの一側に並設された貯留槽21とを備えている。ディスポーザ本体20は、上部に連設されたコーン形の投入シュート22から内部に投入される生ゴミを、下部のモータ23からの伝動による破砕刃24の回転により破砕する公知の装置であり、破砕された生ゴミは、同時に投入される定量の水と混合され、送り管25を経て貯留槽21に送り込まれる。
【００３８】
貯留槽21の内部には、水中ポンプを用いてなる送出ポンプ26が配してある。該送出ポンプ26の吐出管27は、貯留槽21の一側壁を貫通して外部に突設され、逆止弁28を備える連結端を構成しており、この連結端に搬送管３の一端が連結されている。
【００３９】
送出ポンプ26は、例えば、貯留槽21内に貯留された破砕ゴミを含む混合水の水位が所定レベルになった場合に駆動され、この混合水を吸い込んで昇圧し、吐出管27を経て外部に送り出す作用をなす。吐出管27の突出端に取り付けられた逆止弁28は、吐出管27から搬送管３に向かう正流を通し、搬送管３から吐出管27に向かう逆流を阻止する作用をなす弁であり、送出ポンプ26の動作により吐出管27を経て送り出される混合水は、逆止弁28を経て搬送管３内に送り込まれる。
【００４０】
搬送管３の他端は、処理槽１の導入管12に連結されており、この搬送管３の中途に本発明の特徴であるバッファ槽４が介装されている。搬送管３は、ディスポーザ２とバッファ槽４との間の上流管3aと、バッファ槽４と処理槽１との間の下流管3bとを備えており、ディスポーザ２から突出する吐出管27には上流管3aの上流端が、処理槽１の導入管12には、下流管3bの下流端が夫々連結されている。
【００４１】
図２は、バッファ槽４の拡大断面図である。本図及び図１に示す如くバッファ槽４は、円筒形をなす中空容器である。該バッファ槽４は、天板を内外に貫通する導入管45を備えており、この導入管45の外側端に前記上流管3aの下流端が連結されている。この連結によりバッファ槽４の内部には、ディスポーザ２から吐出管27を経て混合水40が導入され、図示の如く内部に貯留される。
【００４２】
バッファ槽４の容量は、処理槽１において所定時間内に分解処理が可能な生ゴミの量に応じて、より具体的には、処理槽１において１日間（24時間）にて分解処理可能な量の生ゴミ（破砕ゴミ）を含む混合水40の貯留が可能となるように設定されている。
【００４３】
この容量は、処理槽１の生ゴミ（破砕ゴミ）の処理能力と、ディスポーザ２における投入ゴミの破砕能力とを用いて設定することができる。例えば、処理槽１が、50kg／日の処理能力を有しており、またディスポーザ２が、３kg／分の破砕能力を有している場合、ディスポーザ２においては、処理槽１において１日間に分解処理可能な生ゴミの粉砕処理が16分40秒（＝50/3）の連続運転により完了する。この運転は、前述の如く、定量の水を同時に投入しつつ行われるが、推奨される水量は、18リットル／分である。
【００４４】
従って、ディスポーザ２の運転が上記の推奨水量を保って行われた場合、処理槽１において１日間にて分解処理可能な破砕ゴミを含む混合水40の量は、 300リットル（≒18リットル×16分40秒）となる。この場合バッファ槽４の容量は、 300リットルの混合水40の貯留が可能なように設定すればよく、より望ましくは、 300リットルの混合水40を若干の余裕を持って貯留し得るように、 400リットル前後の容量に設定すればよい。
【００４５】
このようなバッファ槽４の内部の底板上には、共に水中ポンプを用いてなる攪拌ポンプ41と送出ポンプ42とが設置されている。攪拌ポンプ41は、下面に開口する吸込口と、上方に延びる吐出管43とを備えており、バッファ槽４の内部に貯留された混合水40を吸込口から吸込み、吐出管43の上端から吐き出すことにより、前記混合水40中に水流を発生させて攪拌する構成となっている。
【００４６】
送出ポンプ42は、下面に開口する吸込口を備え、またバッファ槽４の周壁を貫通して外部に延びる吐出管44を備えており、この吐出管44の外側端に前記下流管3bの上流端が連結されている。この構成により送出ポンプ42が駆動された場合、バッファ槽４の内部に貯留された混合水40は、送出ポンプ42に吸い込まれて昇圧され、吐出管44を経て外部に送り出されて、下流管3b及び導入管12を経て処理槽１内に導入される。
【００４７】
送出ポンプ42は、バッファ槽４の内部に混合水40が貯留されていることを条件として、予め設定された周期毎に、夫々所定時間駆動される。送出ポンプ42の駆動周期は、１日に数回〜十数回程度の運転がなされるように設定されており、また各駆動周期における駆動時間は、バッファ槽４における混合水40の最大貯留量が、夫々の駆動周期に分割して送り出されるように設定されている。
【００４８】
例えば、前述したように、処理槽１での処理能力に対応するバッファ槽４の混合水40の最大貯留量が 300リットルである場合に、送出ポンプ42の駆動周期を２時間とし、１日に12回の運転がなされるように設定したときには、各駆動周期での送出ポンプ42の駆動時間は、25リットル（＝ 300/12 ）の送出量が得られるように設定される。
【００４９】
バッファ槽４内部の攪拌ポンプ41は、このような送出の前後に、例えば所定時間駆動され、バッファ槽４の内部に貯留された混合水40を攪拌する動作をなす。この攪拌により、混合水40中に破砕ゴミが分散せしめられ、送出ポンプ42の動作により処理槽１に送り込まれる混合水40は、破砕ゴミを均等に含むこととなり、処理槽１においては、バッファ槽４から分割して送り込まれる混合水40に対して均等な条件下にて分解処理が実行される。
【００５０】
このようなバッファ槽４を備える本発明に係る生ゴミ処理機においては、処理槽１の内部への混合水40の導入量は、ディスポーザ２の運転状態の如何に拘らずバッファ槽４からの送出量により制限されることとなり、先に示した数値例においては、２時間毎に25リットルの混合水40が導入されるのみである。
【００５１】
この導入により処理槽１の内部において生じる処理水10の水位上昇はわずかであり、この水位上昇分がオーバフロー口11を経て排水室13に排水されたとしても、この排水中に含まれる未処理の生ゴミ（有機物）の量はわずかであるから、後処理の負荷を増すことなく下水に放流することが可能となる。
【００５２】
また処理槽１への混合水40の導入は、送出ポンプ42の駆動周期毎になされるが、この駆動周期は、前述の如く、処理槽１における１日当たりの処理能力を複数分割して設定してあるから、バッファ槽４からの混合水40の導入時には、先に導入された混合水40中の破砕ゴミの大部分は消失しており、処理水10は清浄な状態にある。従って、排水室13への排水中の有機物濃度は低く、放流前の後処理の負荷を一層軽減することができる。
【００５３】
従って、前述したように、食堂、大規模飲食店において、営業時間中に発生した生ゴミを、営業終了後にまとめて処理するような形態にて使用されたとしても、ディスポーザ２により一括して破砕された破砕ゴミの全量がバッファ槽４に一旦貯留され、複数回に分割されて処理槽１に導入されることから、後処理の負荷を増すことなく安定して生ゴミ処理を行わせることが可能となり、大規模な後処理装置を設ける必要もない。
【００５４】
バッファ槽４の内部の混合水40の攪拌は、実施の形態に示す攪拌ポンプ41に限らず、攪拌スクリュー等の他の攪拌手段によって行わせることもできる。なお攪拌ポンプ41を用いた場合、これの動作により発生する水流の作用により攪拌を効果的に行わせることができる上、例えば、吐出路の切換え手段を設けることにより送出ポンプ42と兼用することも可能であり、装置構成の簡素化を図ることができる。
【００５５】
また実施の形態においては、送出ポンプ42として水中ポンプを用いてあるから、バッファ槽４の底板上に設置するのみで混合水40の送り出しを行わせることができ、また前述の如く攪拌ポンプ41との兼用が可能であり、装置構成の簡素化を図ることができる。
【００５６】
更に、処理槽１におけるバイオタンク６及びバイオポンプ60を備えるバイオ液の導入手段をバッファ槽４にも付設し、この導入手段から定期的に導入されるバイオ液によりバッファ槽４内に滞留する混合水40中に含まれる破砕ゴミを、処理槽１への導入前に予備的に分解処理する構成としてもよい。この構成によれば、処理槽１の負荷を軽減し、生ゴミの分解処理能力を高く保つことが可能となる。なおバッファ槽４内へのバイオ液の導入も、処理槽１におけると同様に数時間毎程度の長周期にて行わせれば十分である。
【図面の簡単な説明】
【００５７】
【図１】本発明に係る生ゴミ処理機の全体構成を示す模式図である。
【図２】バッファ槽の拡大断面図である。
【符号の説明】
【００５８】
１    処理槽
２    ディスポーザ
３    搬送管
４    バッファ槽
41    攪拌ポンプ
42    送出ポンプ
【図１】
2007125469.tif 000003
【図２】
2007125469.tif 000004